(57)【特許請求の範囲】
【請求項１】
操作つまみと、
前記操作つまみの下部に設置されて前記操作つまみと一体に移動する移動部材と、
前記移動部材の上面側に設置されて前記移動部材を移動する際にクリック感触を生じるクリック機構と、
前記移動部材の下面側に設置されて移動部材の移動によって電気的出力を変化する電気的機能部と、
を具備する電子部品において、
前記クリック機構に、前記移動部材を通して移動部材の下面側に露出される導電性のアースリード部を設けるとともに、前記アースリード部に接近または当接してアース部材を設置し、
前記移動部材の上面側に入射した静電気をクリック機構の前記アースリード部を通して前記アース部材に導くことを特徴とする電子部品。
【請求項２】
前記クリック機構は、弾接部を設けてなるクリックバネと、前記クリックバネの弾接部を係合離脱することでクリック感触を生じるクリック係合部を有するクリック板とで構成され、前記移動部材に取り付けられたクリック板又はクリックバネの何れか一方の一部に前記アースリード部を設けたことを特徴とする請求項１に記載の電子部品。
【請求項３】
前記電気的機能部は、前記移動部材に取り付けた摺動子と、摺動子が摺接する摺接パターンとを有して構成され、
前記アース部材は、フレキシブル回路基板に形成されたアースパターンによって構成され、
さらに前記摺接パターンも前記フレキシブル回路基板に形成されていることを特徴とする請求項１又は２に記載の電子部品。
【請求項４】
前記電子部品は、前記移動部材を回転型物として、この回転型物を回転することで摺動子を回転させて前記摺接パターンに摺接させる回転式電子部品であり、
前記アースパターン及びアースリード部は、前記摺接パターン及び摺動子の設置位置よりも前記回転型物の回転中心軸側に設置されていることを特徴とする請求項３に記載の電子部品。
【請求項５】
前記フレキシブル回路基板は、前記アースパターンを形成してなる第１基板部と、前記摺接パターンを形成してなる第２基板部とを具備し、
前記第２基板部の摺接パターンを設けた面の裏面側に第１基板部を設置すると共に、第２基板部に設けた開口内に前記アースパターンを露出することを特徴とする請求項３に記載の電子部品。
【発明の詳細な説明】
【技術分野】
【０００１】
本発明は、スイッチや可変抵抗器等に用いられる電子部品に関し、特に外部から侵入してくる静電気が内部の電気回路に侵入するのを防止できる静電気侵入防止機能付きの電子部品に関するものである。
【背景技術】
【０００２】
従来、例えば回転式電子部品は、操作つまみを回転することでこれと一体に回転型物を回転し、回転型物に取り付けている摺動子をこれに対向する位置に設置した基板上に設けた摺接パターンに摺接することでその電気的出力を変化するように構成されている（例えば特許文献１）。また回転式電子部品の中には、操作つまみを回転した際にクリック感覚を生じさせるクリック機構を備えたものもある。
【０００３】
しかしながら上記従来の回転式電子部品においては、操作つまみに帯電した人の指等が触れると、その静電気が、操作つまみの上部からその沿面を通して回転式電子部品内部に侵入し、その摺動子や摺接パターンに入射してしまうという問題があった。
【０００４】
特にリング形状の操作つまみの中央の穴に押釦スイッチの押釦つまみを挿入・配置した構造の押釦スイッチ付き回転式電子部品（例えば特許文献１）の場合、前記操作つまみの穴と押釦つまみの間の隙間から静電気が侵入してしまう。
【０００５】
さらに近年、操作つまみに高級感を持たせる等の目的で、操作つまみ表面をメッキなどによって金属光沢を持たせる場合が増えている。しかしながら操作つまみをメッキなどの導電性部材で装飾すると、より静電気が操作つまみに侵入し易くなり、同時に導電性部材がその下側に設置した回転式電子部品の各構成部品へ静電気を導く導電通路となってしまい、より静電気による弊害を招く恐れがあった。
【特許文献１】特開２００４−４７４９１号公報
【発明の開示】
【発明が解決しようとする課題】
【０００６】
本発明は上述の点に鑑みてなされたものでありその目的は、構造が簡単で効果的に静電気の電気回路への侵入を防止できる電子部品を提供することにある。
【課題を解決するための手段】
【０００７】
本願請求項１に記載の発明は、操作つまみと、前記操作つまみの下部に設置されて前記操作つまみと一体に移動する移動部材と、前記移動部材の上面側に設置されて前記移動部材を移動する際にクリック感触を生じるクリック機構と、前記移動部材の下面側に設置されて移動部材の移動によって電気的出力を変化する電気的機能部と、を具備する電子部品において、前記クリック機構に、前記移動部材を通して移動部材の下面側に露出される導電性のアースリード部を設けるとともに、前記アースリード部に接近または当接してアース部材を設置し、前記移動部材の上面側に入射した静電気をクリック機構の前記アースリード部を通して前記アース部材に導くことを特徴とする電子部品にある。
【０００８】
本願請求項２に記載の発明は、前記クリック機構は、弾接部を設けてなるクリックバネと、前記クリックバネの弾接部を係合離脱することでクリック感触を生じるクリック係合部を有するクリック板とで構成され、前記移動部材に取り付けられたクリック板又はクリックバネの何れか一方の一部に前記アースリード部を設けたことを特徴とする請求項１に記載の電子部品にある。
【０００９】
本願請求項３に記載の発明は、前記電気的機能部は、前記移動部材に取り付けた摺動子と、摺動子が摺接する摺接パターンとを有して構成され、前記アース部材は、フレキシブル回路基板に形成されたアースパターンによって構成され、さらに前記摺接パターンも前記フレキシブル回路基板に形成されていることを特徴とする請求項１又は２に記載の電子部品にある。
【００１０】
本願請求項４に記載の発明は、前記電子部品は、前記移動部材を回転型物として、この回転型物を回転することで摺動子を回転させて前記摺接パターンに摺接させる回転式電子部品であり、前記アースパターン及びアースリード部は、前記摺接パターン及び摺動子の設置位置よりも前記回転型物の回転中心軸側に設置されていることを特徴とする請求項３に記載の電子部品にある。
【００１１】
本願請求項５に記載の発明は、前記フレキシブル回路基板は、前記アースパターンを形成してなる第１基板部と、前記摺接パターンを形成してなる第２基板部とを具備し、前記第２基板部の摺接パターンを設けた面の裏面側に第１基板部を設置すると共に、第２基板部に設けた開口内に前記アースパターンを露出することを特徴とする請求項３に記載の電子部品にある。
【発明の効果】
【００１２】
請求項１に記載の発明によれば、移動部材の上面側から入射した静電気を、移動部材の下面側に露出されるアースリード部を通してアース部材に導くことができるので、アース用の部材としてクリック機構を兼用でき、簡単な構造で操作つまみ側から侵入する静電気を確実に除去することができる。特に操作つまみの中央に押釦つまみ用の開口からなる挿通部があってその挿通部から静電気が侵入するような構造であっても、挿通部の真下にクリック機構を設置しておくだけで、確実にその静電気を除去することが可能となる。
【００１３】
請求項２に記載の発明によれば、クリック機構に容易にアースリード部を形成でき、移動部材の上面側に入射した静電気を容易にアース部材に導くことができる。
【００１４】
請求項３に記載の発明によれば、摺接パターンとアースパターンを１枚のフレキシブル回路基板に形成したので、部品点数が減少して構造が簡素化される。
【００１５】
請求項４に記載の発明によれば、アースパターン及びアースリード部を摺接パターン及び摺動子の設置位置よりも回転型物の回転中心軸側に設置したので、回転式電子部品の大型化を防止できる。
【００１６】
請求項５に記載の発明によれば、摺接パターンを上面側に露出した状態で容易に摺接パターンを設けた基板部（第２基板部）とは異なる基板部（第１基板部）に設けたアースパターンを摺接パターンを設けた基板部（第２基板部）中に露出することが可能となる。アースパターンを設けた面と摺接パターンを設けた面とが異なる面なので、アースパターンに入射した静電気が摺接パターンに放電することを確実に防止できる。
【発明を実施するための最良の形態】
【００１７】
以下、本発明の実施形態を図面に基づいて詳細に説明する。
〔第１実施形態〕
図１は本発明の第１実施形態にかかる電子部品（以下「回転式電子部品」という）１−１の概略断面図（説明の都合上、各部の断面位置は異なっている。）、図２は回転式電子部品１−１の分解斜視図である。なお図１においては、図示の都合上、基台１９０と第３基板部１４０との間と、第４基板部１５０と第５基板部１６０との間にアースパターン１８３の厚み分の隙間があるように記載されているが、実際はアースパターン１８３の厚みは薄く、隙間はない。
【００１８】
両図に示すように回転式電子部品１−１は、操作つまみ１０と、操作つまみ１０の中央に設置される押釦つまみ３０と、操作つまみ１０の下部に設置される固定側部材であるケース４０と、ケース４０の下部に設置されて操作つまみ１０と一体に移動する移動部材（以下「回転型物」という）５０と、回転型物５０の上面側（操作つまみ１０側）に設置されて前記回転型物５０を移動する際にクリック感触を生じるクリック機構８０と、回転型物５０の下面側に設置される基板群１００と、基板群１００の下部に設置される取付部材（以下「取付板」という）２００とを具備して構成されている。以下各構成部品について説明する。
【００１９】
図３は回転式電子部品１−１を構成する各部品の内の基板群１００と取付板２００とを除く他の各部品の分解斜視図である。また図４は操作つまみ１０を裏面側から見た斜視図である。図１，図３，図４に示すように操作つまみ１０は合成樹脂製であり、略円板状の上面部１１の外周に下方に向かって突出する略円筒状の側壁部１３を設け、また上面部１１の中央に円形の上下に貫通する挿通部１５を設けて構成されている。上面部１１の下面側の前記挿通部１５の周囲部分には円筒状に突出する軸部１７が設けられ、軸部１７の下端辺からは複数本（３本）の突起部１９が突出している。軸部１７の内径は挿通部１５の内径よりも少し大きく、これによって両者の接合部分にはリング状の段部２１が形成されている。ところでこの操作つまみ１０は図１に示すように、上面部１１と側壁部１３とを構成する合成樹脂材料ａと、軸部１７と上面部１１の下面を覆う下面部２３とを構成する合成樹脂材料ｂとを異なる材料で構成してなる二材成形品である。二材成形品とは、金型内で一方の合成樹脂材を成形した後、金型内に前記成形品を残したまま金型の一部を取り換えてさらに他方の合成樹脂を成形し、これによって両合成樹脂を一体にした成形品を得る方法である。この方法によれば、両合成樹脂の接合面に全く隙間は生じず、この接合面に静電気が侵入する恐れはない。このようにこの実施形態において操作つまみ１０を二材成形品で構成したのは、上面部１１と側壁部１３のみに金属メッキを施し、軸部１７と下面部２３には金属メッキを施さないようにするためである。即ちこの実施形態においては、操作つまみ１０の上面部１１と側壁部１３を構成する合成樹脂材料ａとしてＡＢＳ樹脂を用い、軸部１７及び下面部２３を構成する合成樹脂材料ｂとしてポリカーボネート樹脂を用いている。そしてこの操作つまみ１０全体を金属メッキすると、メッキし易い合成樹脂材料（この実施形態ではＡＢＳ樹脂）ａの露出している表面のみにメッキが付着し、メッキし難い合成樹脂材料（この実施形態ではポリカーボネート樹脂）ｂの露出している表面にはメッキは付着しない（又は付着したメッキが容易に除去できる）。つまりこの実施形態においては、上面部１１と側壁部１３の露出表面のみに金属光沢を有する金属メッキが施されている。
【００２０】
押釦つまみ３０は合成樹脂成形品であり、略円板状の本体部３１の外周下部から半径方向外方に向けてつば部３３を突出し、また本体部３１の下面中央から柱状の押圧部３５を突出して構成されている。この押釦つまみ３０は例えばＡＢＳ樹脂製であり、その表面全体にはスパッタによる不連続蒸着（不伝導蒸着とも言う）が形成され、金属光沢のある装飾が施されている。不連続蒸着とはスパッタの初期段階で、核となる金属が合成樹脂表面に付着してはいるが、これら核間が連結されて連続した膜となる前の状態であり、不導電性を有する（又は抵抗値の高い）蒸着膜である。
【００２１】
ケース４０は合成樹脂製（この実施形態ではＡＢＳ樹脂製）であり、その所定位置に上方向に筒状に突出してその上面に上面部４３を有する突出部４１を設け、これによって突出部４１の下面側に凹状の収納部４５を形成して構成されている。上面部４３中央には円形の開口部４７が形成され、上面部４３下面の開口部４７の周囲には下方向に向かって突出する複数本（３本）の取付突起４８が設けられ、また図５に示すようにケース４０下面の収納部４５の周囲には、下方向に向かって突出する複数本（８本）の突起からなる取付部４８が設けられている。前記各取付突起４８は下記するクリックバネ８１のバネ取付穴８５に対向する位置でこれらに挿入できる外径寸法に形成されている。
【００２２】
回転型物５０は合成樹脂を略円板状に成形して構成されており、その中央には前記押釦つまみ３０の押圧部３５を上下動自在に挿入・ガイドする押圧部挿入部５１が設けられ、押圧部挿入部５１を囲む周囲位置には等間隔に複数（３つ）の上下に貫通するスリット状のアースリード部挿通部５３が設けられ、アースリード部挿通部５３の外側を囲む周囲位置には等間隔に複数（３つ）の上下に貫通するスリット状の突起部挿通部５５が設けられ、さらに突起部挿通部５５の外周側の上面には等間隔に複数（８つ）の矩形凹状のクリック係合部５７が設けられている。また回転型物５０の下面には、摺動子６０が取り付けられている。摺動子６０は弾性金属板製であり、図５に示すように、矩形状で回転型物５０に取り付けられる基部６１の１辺から２本の摺動冊子６３を突出して基部６１の下面側に折り返して構成されている。各アースリード部挿通部５３は下記するクリック板９１の各アースリード部９７に対向してこれを挿入する形状に形成され、各突起部挿通部５５は前記操作つまみ１０の各突起部１９に対向してこれを挿入する形状に形成されている。
【００２３】
クリック機構８０は、図１，図３に示すように、クリックバネ８１とクリック板９１とを具備して構成されている。クリックバネ８１は弾性金属板をリング状に形成し、１８０°対向する二ヶ所に略矩形状の取付部８３を設け、各取付部８３に貫通孔からなるバネ取付穴８５を設け、両取付部８３を連結する一方の円弧状のアーム部８７の中央に下方向に突出するように屈曲する弾接部８９を設けて構成されている。一方クリック板９１は略円板状の金属板で構成され、その外周には等間隔に複数（８つ）の矩形凹状の切り欠きからなるクリック係合部９３を設け、また中央には略６角形状の貫通する開口部９５を設け、開口部９５の内周辺から等間隔に複数本（３本）の舌片状のアースリード部９７を突出してそれらの根元部分を折り曲げて真下方向に向け、また各アースリード部９７の外周側にそれぞれスリット状の挿通部９９を設けている。各挿通部９９は前記操作つまみ１０の各突起部１９に対向してこれを挿入する形状に形成されている。また各クリック係合部９３は前記回転型物５０の各クリック係合部５７に対向する位置にこれと略同一形状に形成されている。
【００２４】
図６，図７は基板群１００の展開斜視図であり、図６は上側から見た図、図７は下側から見た図である。同図に示すように基板群１００は、１枚の可撓性を有する合成樹脂フイルム（この実施形態ではポリエチレンテレフタレートフイルムを用いているが、他の各種合成樹脂フイルムを用いても良い）の表面に回路パターンを設けて構成されたフレキシブル回路基板１１０と、合成樹脂製の基台１９０とによって構成されており、フレキシブル回路基板１１０は、円形の５つの回路基板部、即ち第１基板部１２０、第２基板部１３０、第３基板部１４０、第４基板部１５０、第５基板部１６０をそれぞれ帯状の連結部１７１，１７３，１７５，１７７によって連結して構成されている。第４基板部１５０の外周辺には帯状の引出部１７９が接続されている。この実施形態では第１〜第５基板部１２０，１３０，１４０，１５０，１６０及び基台１９０は略円形であり、それらの外径寸法はほぼ同一に形成されている。
【００２５】
第１基板部１２０はその中央に円形に貫通する押圧部挿通穴１２１を設け、外周近傍に複数（８つ）の貫通する小孔からなるケース取付部１２３を設け、また外周近傍の１８０°対向する位置に複数（一対）の貫通する小孔からなる取付穴１２５を設けて構成されている。第２基板部１３０はその中央に円形に貫通する開口１３１を設け、外周近傍の前記ケース取付部１２３に対向する位置（重ね合わせた際に対向する位置）に複数（８つ）の貫通する小孔からなるケース取付部１３３を設け、また外周近傍の１８０°対向する位置（前記取付穴１２５に対向する位置）に複数（一対）の貫通する小孔からなる取付穴１３５を設け、またその上面の前記開口１３１の周囲にリング状で同心円状の一対の摺接パターン１３７を設けて構成されている。この実施形態の場合、外側の摺接パターン１３７が抵抗体パターンで、内側の摺接パターン１３７が導電性の高い導体パターンである。もちろんこれら摺接パターンはスイッチパターンであっても良いし、その本数（トラック本数）も１本又は３本以上でも良い。これら摺接パターン１３７の出力は図示しない回路パターンによって引出部１７９に引き出されている。その際回路パターンは必要に応じてスルーホールを用いてフレキシブル回路基板１１０の上下面に設けられる（以下の各回路パターンにおいても同じ）。第３基板部１４０はその中央に貫通する押圧部挿通穴１４１を設け、外周近傍の前記各ケース取付部１２３に対向する位置（重ね合わせた際に対向する位置）に複数（８つ）の貫通する小孔からなるケース取付部１４３を設け、また外周近傍の所定の二ヶ所に貫通する小孔からなる取付穴１４５を設け、また上面の前記押圧部挿通穴１４１の周囲にＣ字状の１本の固定抵抗パターン１４７を設けて構成されている。固定抵抗パターン１４７の出力は図示しない回路パターンによって引出部１７９に引き出されている。第４基板部１５０はその上面中央に押圧スイッチ１５１を設け、外周近傍の前記各ケース取付部１２３に対向する位置（重ね合わせた際に対向する位置）に複数（８つ）の貫通する小孔からなるケース取付部１５３を設け、また外周近傍の前記取付穴１４５に対向する２ヵ所（重ね合わせた際に対向する位置）に貫通する小孔からなる取付穴１５５を設けて構成されている。押圧スイッチ１５１は第４基板部１５０表面に形成した一対のパターンからなるスイッチ接点１５１ａ，１５１ｂ上に、弾性金属板をドーム形状に形成した反転板（可動接点板）１５１ｃをその外周が一方のスイッチパターン１５１ｂ上に当接し、その中央下面が他方のスイッチパターン１５１ａに所定の隙間を介して対向するように、反転板１５１ｃ上を覆う粘着テープ１５１ｄによって取り付けて構成されている。押圧スイッチ１５１の出力は図示しない回路パターンによって引出部１７９に引き出されている。第５基板部１６０はその外周近傍の前記各ケース取付部１２３に対向する位置（重ね合わせた際に対向する位置）に複数（８つ）の貫通する小孔からなるケース取付部１６３を設け、またその外周近傍の前記取付穴１４５に対向する２ヵ所（重ね合わせた際に対向する位置）に貫通する小孔からなる取付穴１６５を設けて構成されている。
【００２６】
一方図７に示すように、第１，第２基板部１２０，１３０の下面には静電気侵入防止用の円形のアースパターン１８０，１８１が設けられ、アースパターン１８０，１８１は連結用のアースパターン１８３によって連結されて第３，第４基板部１４０，１５０の下面を介して引出部１７９の下面に引き出されている。即ちアースパターン１８０，１８１，１８３は導電性の高い導電パターン（例えば銀ペーストを印刷したもの）によって構成されており、第１基板部１２０下面の押圧部挿通穴１２１の周囲を囲む部分に設けられるアースパターン１８０と、第２基板部１３０下面の開口１３１の周囲を囲む部分に設けられるアースパターン１８１と、第３基板部１４０下面の外周近傍部分の一部と第４基板部１５０下面の外周近傍部分の一部と連結部１７１，１７３，１７５の下面と引出部１７９の下面とに設けられるアースパターン１８３とを具備している。アースパターン１８３は引出部１７９から引き出された後に図示しない位置でアースされる。なお第１〜第５基板部１２０，１３０，１４０，１５０，１６０及び連結部１７１，１７３，１７５，１７７の上下面には図示はしていないが必要に応じて絶縁層が印刷等によって形成されている。
【００２７】
基台１９０は合成樹脂を略円板状に成形して構成されており、その中央に円形に貫通する押圧部挿通穴１９１を設け、その外周近傍の前記各ケース取付部１２３に対向する位置（基台１９０の上面に載置する第１基板部１２０のケース取付部１２３に対向する位置）に複数（８つ）の貫通する小孔からなるケース取付部１９３を設け、またその上面の外周近傍の１８０°対向する位置（基台１９０の上面に載置する第１基板部１２０の取付穴１２５に対向する位置）に複数（一対）の小突起からなる取付突起１９５を設け、またその下面の外周近傍の前記取付穴１４５に対向する２ヵ所（基台１９０の下面に載置する第３基板部１４０の取付穴１４５に対向する位置）に小突起からなる取付突起１９７を設けて構成されている。
【００２８】
そして基板群１００を組み立てるには、まず第１基板部１２０を第２基板部１３０の下面側に重ね合わせておき、一方第５基板部１６０を第４基板部１５０の下面側に重ね合わせてさらに重ね合わせた第４，第５基板部１５０，１６０を第３基板部１４０の上面側に重ね合わせておく。次に前記重ね合わせた第１，第２基板部１２０，１３０の下面（第１基板部１２０側）に基台１９０を設置し、その際基台１９０に設けた一対の取付突起１９５を第１，第２基板部１２０，１３０に設けた取付穴１２５，１３５に挿入し、両取付突起１９５の先端を熱カシメして固定する。次に前記重ね合わせた第３，第４，第５基板部１４０，１５０，１６０を連結部１７３の部分で折り返して基台１９０の下面に設置し（このとき第３基板部１４０が基台１９０の下面に当接する）、その際基台１９０の下面に設けた一対の取付突起１９７を第３，第４，第５基板部１４０，１５０，１６０に設けた取付穴１４５，１５５，１６５に挿入し、両取付突起１９７の先端を熱カシメすることで固定する。これによって図２に示す基板群１００が完成する。図２に示すように第１基板部１２０に形成されたアースパターン１８０は、第２基板部１３０に形成された開口１３１内に露出しており、これによってアースパターン１８０は第２基板部１３０に形成された摺接パターン１３７の設置位置よりも中心側（回転型物５０の回転中心軸側）で上方に向けて露出して設置されている。
【００２９】
次に取付板２００は、金属板を前記基板群１００の外径と略同一外径の略円板状に形成して構成されており、その外周近傍の前記第１基板部１２０の各ケース取付部１２３に対向する位置（重ね合わせた際に対向する位置）に複数（８つ）の貫通する小孔からなるケース取付部２０３を設け、また外周近傍の前記第３基板部１４０の取付穴１４５に対向する２ヵ所の位置（重ね合わせた際に対向する位置）に貫通する小孔からなる穴２０５を設けて構成されている。
【００３０】
次に回転式電子部品１−１の組立方法を説明する。まず図３において予めケース４０の上面部４３の下面にクリックバネ８１を設置し、その際ケース４０の各取付突起４８をクリックバネ８１の各バネ取付穴８５に挿入してそれらの先端を熱カシメして固定しておく。また回転型物５０の下面に摺動子６０を図示しない取付手段によって取り付けておく。そしてまず操作つまみ１０をケース４０の突出部４１上に配置し、このとき操作つまみ１０の軸部１７（図４参照）をケース４０の開口部４７に回動自在に挿入する。次にケース４０の下面側から押釦つまみ３０の本体部３１を操作つまみ１０の挿通部１５内に挿入し、さらにその下側にクリック板９１を載置した回転型物５０を配置する。その際クリック板９１の各アースリード部９７は回転型物５０の各アースリード部挿通部５３に挿入され、同時に押釦つまみ３０の押圧部３５は回転型物５０の押圧部挿入部５１に上下動自在に挿入され、同時に操作つまみ１０の各突起部１９はクリック板９１の各挿通部９９と回転型物５０の各突起部挿通部５５とに挿入される。そして各突起部１９先端を回転型物５０の下面で熱カシメする。次に回転型物５０の下面側に図２に示す基板群１００と取付板２００とを設置し、その際各基板部１２０，１３０，１４０，１５０，１６０と基台１９０に設けられて上下に一致して重なり合っている複数の各ケース取付部１２３，１３３，１４３，１５３，１６３，１９３と、取付板２００のケース取付部２０３とにそれぞれ図５に示すケース４０の取付突起４８を挿入し、各取付突起４８の先端を取付板２００の下面で熱カシメしてこれら各部材を一体化する。なお取付板２００に設けた穴２０５は、第５基板部１６０の下面に露出する基台１９０の取付突起１９７の熱カシメした先端部分を挿入する逃げ穴である。
【００３１】
以上のようにして組み立てられた回転式電子部品１−１は図１に示すように、操作つまみ１０と、操作つまみ１０の下部に設置されて操作つまみ１０と一体に移動（回転）する回転型物５０と、回転型物５０の上面側に設置されて回転型物５０を回転する際にクリック感触を生じるクリック機構８０と、回転型物５０の下面側に設置されて回転型物５０の回転によって電気的出力を変化する摺動子６０及び摺接パターン１３７からなる電気的機能部と、を具備し、クリック機構８０を構成するクリック板９１に回転型物５０を通して回転型物５０の下面側に露出されるアースリード部９７を設けるとともに、アースリード部９７に接近してアースパターン１８０を設置して構成されている。またクリック機構８０は、弾接部８９を設けてなるクリックバネ８１と、クリックバネ８１の弾接部８９を係合離脱することでクリック感触を生じるクリック係合部９３を有するクリック板９１とで構成され、クリック板９１は金属製であって回転型物５０に取り付けられ、回転型物５０に取り付けたクリック板９１の一部に前記アースリード部９７が設けられている。また摺接パターン１３７とアースパターン１８０は、１枚のフレキシブル回路基板１１０に形成されている。またアースパターン１８０及びアースリード部９７は、摺接パターン１３７及び摺動子６１の設置位置よりも回転型物５０の回転中心軸側に設置されている。またフレキシブル回路基板１１０は、少なくともアースパターン１８０を形成してなる第１基板部１２０と、摺接パターン１３７を形成してなる第２基板部１３０とを具備し、第２基板部１３０の摺接パターン１３７を設けた面の裏面側に第１基板部１２０を設置すると共に、第２基板部１３０に設けた開口１３１内に前記第１基板部１２０のアースパターン１８０を露出している。
【００３２】
そして上記回転式電子部品１−１において、操作つまみ１０を回転すれば、これと一体に回転型物５０が回転し、摺動子６０の摺動冊子６３が摺接パターン１３７上を摺動してその電気的出力を変化する。一方押釦つまみ３０を押圧すれば押圧部３５が押圧スイッチ１５１を押圧して反転板１５１ｃを反転しこれをオンする。押釦つまみ３０への押圧を解除すれば反転板１５１ｃは元の形状に自動復帰し押圧スイッチ１５１はオフする。
【００３３】
一方、操作つまみ１０や押釦つまみ３０を操作する指等が帯電していた場合、操作つまみ１０表面には導電性の金属メッキが施されているので、その静電気の多くは操作つまみ１０の表面に入射し、操作つまみ１０のメッキが施されている表面を伝ってケース４０の開口部４７から回転型物５０の上面側に侵入する。そして回転型物５０の上面側に侵入した静電気は金属板製のクリックバネ８１又はクリック板９１に入射し（なおクリックバネ８１に入射した静電気はこれと接しているクリック板９１に導かれる）、クリック板９１に設けたアースリード部９７の先端からこれに接近して配置されているアースパターン１８０に放電され、アースされる。すなわちクリック機構８０に入射した静電気はアースリード部９７を通してアースパターン１８０に導かれる。従って操作つまみ１０や押釦つまみ３０から回転型物５０の上面側に入射した静電気が回転型物５０の下面側に設置した電気的機能部である摺動子６０や摺接パターン１３７やその他の回路パターンに入射することはなく、効果的に静電気の電気回路への侵入を防止できる。
【００３４】
なおこの実施形態では操作つまみ１０の軸部１７表面にメッキを行なわず、従って前記メッキ内を導通する静電気が軸部１７にまで至らないようにしており、これによって軸部１７を回転型物５０に固定するために設けた突起部挿通部５５を通してその下面側に静電気が侵入しないようにしている（静電気はその上にあるクリック板９１に確実に捉えられる）。またこの実施形態の場合、静電気を導入するアースパターン１８０が摺接パターン１３７を形成した第２基板部１３０とは異なる第１基板部１２０に設けられているので、両パターンが同一の面上にある場合に生じる恐れのある両者間の放電も確実に防止できる。なおこの実施形態では第１基板部１２０と第２基板部１３０は同一のフレキシブル回路基板１１０であるが、摺接パターン１３７とアースパターン１８０とはフレキシブル回路基板１１０の上下の異なる面に設けられているので、この点からも両者間で放電は生じない。またこの実施形態の場合、アースパターン１８０及びアースリード部９７は、摺接パターン１３７及び摺動子６０の設置位置よりも回転型物５０の回転中心軸側に設置されているが、これは回転式電子部品１−１の電気的機能部である摺接パターン１３７及び摺動子６０の回転中心軸側に形成される使用されていないスペースを利用してアースパターン１８０及びアースリード部９７を設置したものであり、このためアースパターン１８０及びアースリード部９７による静電気侵入防止機構を回転式電子部品１−１に設置してもこの回転式電子部品１−１が大型化することはなく、この静電気侵入防止機構を容易に設置することができる。
【００３５】
〔第２実施形態〕
図８は本発明の第２実施形態にかかる電子部品（以下「回転式電子部品」という）１−２の概略断面図（説明の都合上、各部の断面位置は異なっている。）である。同図に示す回転式電子部品１−２において、前記第１実施形態にかかる回転式電子部品１−１と同一又は相当部分には同一符号を付す。なお以下で説明する事項以外の事項については、前記第１実施形態にかかる回転式電子部品１−１と同じである。
【００３６】
この実施形態において第１実施形態と相違する点は、基板群１００の内の第１基板部１２０を省略し、その代りに第１基板部１２０に設けていたアースパターン１８０を第２基板部１３０の摺接パターン１３７を設けた側の面の開口１３１の周囲にリング状に形成した点のみである。この実施形態の場合、開口１３１の内径を小さくし、押圧部３５の外周面に接近させている。このように構成してもアースリード部９７に接近又は当接してアースパターン１８０を設置することができ、第１実施形態と同様に操作つまみ１０側から侵入する静電気を効果的に除去することができる。なおこの実施形態の場合、アースパターン１８０と摺接パターン１３７とを同一基板の表面に設けることとなるが、両者間の間隔をある程度大きく取れば放電の問題はない。
【００３７】
〔第３実施形態〕
本発明の第３実施形態にかかる回転式電子部品１−３は、図１〜図７に示す回転式電子部品１−１において、前記押釦つまみ３０の外周面の装飾をメッキ又は通常の導電性の蒸着膜によって形成したものである。従ってその説明を図１を用いて行なうと、この回転式電子部品１−３の場合、操作つまみ１０又は押釦つまみ３０に帯電した指等が接近又は触れると、操作つまみ１０だけでなく、押釦つまみ３０の押圧部３５を通して回転型物５０の下面側に静電気が侵入する。しかしながら押圧部３５の先端に侵入した静電気は反転板１５１ｃの上面が絶縁性の粘着テープ（絶縁部材）１５１ｄによって覆われていることで、押圧スイッチ１５１に侵入することはない。一方押圧部３５の外周にはこれに接近（又は接触）してアースパターン１８０が位置しているので、前記静電気はアースパターン１８０に放電され、アースされる。従って帯電した押圧部３５からみてアースパターン１８０よりも外方の位置にある電気的機能部（摺動子６０と摺接パターン１３７）に押圧部３５の静電気が放電することはない（さらに開口１３１の内径を押圧部挿通穴１２１の内径より大きくすることでも、摺接パターン１３７への静電気の侵入を防止している）。従って例え押釦つまみ３０の表面に金属メッキ等による導電層を設けている場合であっても、この導電層に侵入した静電気が電気的機能部に侵入することはない。
【００３８】
即ちこの実施形態には、押圧スイッチ１５１（スイッチ接点１５１ａ，１５１ｂ）と、押圧スイッチ１５１上に設置されてこの押圧スイッチ１５１を押圧する押圧部３５を有する押釦つまみ３０と、押釦つまみ３０の押圧部３５近傍又は押圧部３５に接する位置にアースパターン１８０を形成してなるアースパターン形成部材（この実施形態では第１基板部１２０）と、を具備する押釦つまみのアース構造が開示されており、さらに、押釦つまみ３０の押圧部３５が、アースパターン形成部材（第１基板部１２０）のアースパターン１８０を設けた部分に設けた押圧部挿通穴１２１を貫通している構成が開示されており、またアースパターン形成部材（第１基板部１２０）の上部に機能パターン形成部材（この実施形態では機能パターンである摺接パターン１３７を設けた第２基板部１３０）を設置し、この機能パターン形成部材（第２基板部１３０）に押圧部３５の外径よりも所定寸法大きい内径の開口１３１を設けて前記押圧部３５を通す構成が開示されている。なお同様に、第２実施形態の押釦つまみ３０の外周面の装飾を金属メッキ等の導電層で行なっても良い。
【００３９】
なお上記各実施形態では操作つまみ１０及び／又は押釦つまみ３０の表面にメッキなどによる導電層が形成されている場合について説明したが、本発明は必ずしも操作つまみ１０や押釦つまみ３０にメッキ等の導電層が施されていない場合でも適用できる。導電層がなくても静電気は沿面放電によって回転型物５０の下面側に侵入するからである。
【００４０】
以上本発明の実施形態を説明したが、本発明は上記実施形態に限定されるものではなく、特許請求の範囲、及び明細書と図面に記載された技術的思想の範囲内において種々の変形が可能である。なお直接明細書及び図面に記載のない何れの形状・構造・材質であっても、本願発明の作用・効果を奏する以上、本願発明の技術的思想の範囲内である。例えば上記実施形態においては、本発明を回転式電子部品に利用した場合を説明したが、本発明はスライド式電子部品等の他の電子部品にも利用することができる。またクリック機構の構造も上記実施形態には限定されず、種々の変形が可能であり、要は移動部材の上面側に設置されて移動部材を移動する際にクリック感触を生じるクリック機構であればどのような構造であっても良い。また上記実施形態では摺動子６０と摺接パターン１３７とによって電気的機能部を構成したが、電気的機能部の構造も種々の変形が可能であることはいうまでもなく、要は移動部材の下面側に設置されて移動部材の移動によって電気的出力を変化する電気的機能部であればどのような構造であっても良い。アースリード部９７の形状、構造も種々の変形が可能であり、要は移動部材を通して移動部材の下面側に露出されるアースリード部であればどのような構造であってもよい。また上記実施形態ではアースリード部９７の先端をアースパターン１８０に接近させて設置し、静電気は両者間の放電によって行うように構成したが、これはアースリード部９７をアースパターン１８０に当接するとアースパターン１８０が磨耗したり回転型物５０の回転に抵抗を生じたりする不都合を考慮したものであり、このような不都合がない（又は不都合が無視できる）場合はアースリード部９７をアースパターン１８０表面に当接しても良い。また上記実施形態では回転型物５０にクリック板９１を取り付け、固定側部材であるケース４０にクリックバネ８１を取り付けたが、逆に回転型物５０にクリックバネ８１を取り付け、固定側部材にクリック板９１を取り付けても良い。その場合、クリックバネ８１にアースリード部９７を設ける。またクリック機構は少なくとも回転型物５０に取り付けられる部材であるクリック板９１又はクリックバネ８１（アースリード部９７を設けた側の部材）を金属製として導電性を持たせれば良い（もちろん両者に導電性を持たせた方がより静電気の侵入防止に効果的であることはいうまでもない）。またアースリード部９７はこれを設けるクリック板９１やクリックバネ８１と必ずしも一体品でなくてもよく、別部品としてクリック板９１やクリックバネ８１に導電性のアースリード部９７を取り付けても良い。また本発明は少なくともアースリード部９７に導電性があれば良い。また上記実施形態のようにアースリード部９７を金属製としてそれ自体に導電性を持たせても良いし、その表面に導電層を設けることで導電性を持たせても良い。また上記実施形態ではアース部材としてアースパターン１８０を用いたが、金属板など、アースパターン以外の各種アース部材であっても良い。さらに上記実施形態では１枚のフレキシブル回路基板に摺接パターン１３７とアースパターン１８０とを形成した（両者がフレキシブル回路基板の上下異なる面に形成される場合も同一面に形成される場合もある）が、別々の回路基板に両者を形成しても良い。なお回路基板は硬質基板であっても良い。
【図面の簡単な説明】
【００４１】
【図１】回転式電子部品１−１の概略断面図である。
【図２】回転式電子部品１−１の分解斜視図である。
【図３】回転式電子部品１−１の基板群１００と取付板２００とを除く他の各部品の分解斜視図である。
【図４】操作つまみ１０を裏面側から見た斜視図である。
【図５】基板群１００と取付板２００とを除いた状態の回転式電子部品１−１を裏面側から見た斜視図である。
【図６】基板群１００の展開斜視図（上側から見た図）である。
【図７】基板群１００の展開斜視図（下側から見た図）である。
【図８】回転式電子部品１−２の概略断面図である。
【符号の説明】
【００４２】
１−１  回転式電子部品（電子部品）
１０  操作つまみ
３０  押釦つまみ
３５  押圧部
４０  ケース
５０  回転型物（移動部材）
５１  押圧部挿入部
５３  アースリード部挿通部
６０  摺動子（電気的機能部）
８０  クリック機構
８１  クリックバネ
８９  弾接部
９１  クリック板
９３  クリック係合部
９７  アースリード部
１００  基板群
１１０  フレキシブル回路基板
１２０  第１基板部
１２１  押圧部挿通穴
１３０  第２基板部
１３１  開口
１３７  摺接パターン（電気的機能部）
１４０  第３基板部
１５０  第４基板部
１６０  第５基板部
１８０  アースパターン（アース部材）
１９０  基台
２００  取付板（取付部材）
１−２  回転式電子部品（電子部品）
【図１】
0004570560.tif 000002
【図２】
0004570560.tif 000003
【図３】
0004570560.tif 000004
【図４】
0004570560.tif 000005
【図５】
0004570560.tif 000006
【図６】
0004570560.tif 000007
【図７】
0004570560.tif 000008
【図８】
0004570560.tif 000009